(57)【要約】【課題】土砂等を深く掘り起こすことができる、フォーク部材付きバケットを提供する。【解決手段】上部横枠部材４と、底板部材５と、上部横枠部材４と底板部材５との間に設けられた背面部材６と、一対の側面板７、８とを備えるバケット本体部２と、バケット本体部２の底板部材５の長さ方向のバケット本体部２の開口部ｈ２を形成する側面から突出するように設けられた複数本のフォーク部材３ａ、３ｂ、３・・・を備え、複数本のフォーク部材３ａ、３ｂ、３・・・の中、一番外側に位置する一対のフォーク部材３ａ、３ｂ各々が、一対の側面板７、８の各々により支持され、且つ、複数本のフォーク部材３ａ、３ｂ、３・・・中、一番外側に位置する一対のフォーク部材３ａ、３ｂの間に位置するフォーク部材３・・・が、上部横枠部材部４の途中の位置から底板部材５方向に、上部横枠部材部４の途中の位置から背面部材６の内表面Ｓ６ｂに接続するように設けられた支持部材９・・・の各々により支持されている。【選択図】図１
2009114732.tif 000002
【特許請求の範囲】
【請求項１】
上部横枠部材部材と、底板部材と、前記上部横枠部材と前記底板部材との間に設けられた背面部材と、前記上部横枠部材の一端部側、前記底板部材の一端部側及び前記背面部材の一端部側、並びに、前記上部横枠部材の他端部側、前記底板部材の他端部側及び前記背面部材の他端部側の各々に設けられた一対の側面板とを備えるバケット本体部と、
前記バケット本体部の前記底板部材から突出するように設けられた複数本のフォーク部材を備え、
前記複数本のフォーク部材の中、一番外側に位置する一対のフォーク部材の各々が、前記の一対の側面板の各々により支持され、且つ、
前記複数本のフォーク部材の中、前記一番外側に位置する一対のフォーク部材の間に位置するフォーク部材が、前記上部横枠部材部の途中の位置から前記底板部材方向に、前記上部横枠部材部の途中の位置から前記背面部材の内表面に接続するように設けられた支持部材により支持されている、フォーク部材付きバケット。
【請求項２】
前記支持部材が、一対の側面板の各々と同一の形状又は概ね同一形状を有している、請求項１に記載のフォーク部材付きバケット。
【請求項３】
前記複数本のフォーク部材の中、前記一番外側に位置する一対のフォーク部材の各々が、前記複数本のフォーク部材の中、前記一番外側に位置する一対のフォーク部材の各々を、平面視した場合、前記複数本のフォーク部材の中、前記一番外側に位置する一対のフォーク部材の各々の中心線又は概ね中心線に沿って、前記一対の側面板の各々の下端部により支持され、且つ、
前記複数本のフォーク部材の中、前記一番外側に位置する一対のフォーク部材の間に位置するフォーク部材が、前記複数本のフォーク部材の中、前記一番外側に位置する一対のフォーク部材の間に位置するフォーク部材を平面視した場合、前記複数本のフォーク部材の中、前記一番外側に位置する一対のフォーク部材の間に位置するフォーク部材の中心線又は概ね中心線に沿って、前記支持部材の下端部により支持されている、請求項１又は請求項２に記載のフォーク部材付きバケット。
【請求項４】
前記背面部材を側面視した場合、前記背面部材の外表面が、前記上部横枠部材と前記底板部材との間の途中の位置において、前記バケット本体部の開口部方向に湾曲している、請求項１〜３のいずれかに記載のフォーク部材付きバケット。
【請求項５】
前記複数本のフォーク部材の各々の先端部が、前記複数本のフォーク部材の各々の下面の所定の位置から前記複数本のフォーク部材の各々の上面の端部に向かって傾斜している、請求項１〜４のいずれかに記載のフォーク部材付きバケット。
【発明の詳細な説明】
【技術分野】
【０００１】
本発明は、パワーショベル等の土木機械のリンク部に接続して用いるバケットに関し、特に、土砂等を深く掘り起こすことができる、フォーク部材付きバケットに関する。
【背景技術】
【０００２】
台風、大雨その他の天災により、河川に、大量の土砂や砂礫が流れると、河床において、大きな岩石の上に土砂が堆積する。
【０００３】
河床において、大きな岩石の上に土砂が堆積した状態になると、河川に生息している多数の淡水魚やカエルやザリガニや水生昆虫等の水棲動物の隠れ場所（石や岩の陰）が無いため、コサギ、ダイサギ、川鵜その他の鳥類等に、そのような水棲動物が捕食される結果、河川に生息する魚の数が減少する。
【０００４】
このような場合、例えば、パワーショベル等の土木機械に、スケルトンバケットや、掘削用フォークショベルを取り付け、スケルトンバケットや、掘削用フォークショベルにより、河床を掘り起こし、土砂の上に、岩石等を位置（配置）させるようにすることが考えられる。
【０００５】
ところで、従来のスケルトンバケット、また、従来の掘削用フォークショベルは、一般に、以下のような形状を有している。
【０００６】
図８は、従来のスケルトンバケットの一例を概略的に示す斜視図であり、また、図９は、図８に示す従来のスケルトンバケットの、図８中、ＩＸ−ＩＸ線に従う概略的な断面図である。
【０００７】
このスケルトンバケット１０１は、バケット本体１０２と、爪１０３・・・とを備える。
【０００８】
バケット本体１０２は、上部横枠部材１０４と、底板部材１０５と、上部横枠部材１０４と底部材１０５との間に設けられた背面部材１０６と、上部横枠部材１０４の一端ｅ１０４ａ、底板部材１０５の一端ｅ１０５ａ及び背面部材１０６の一端ｅ１０６ａ、並びに、上部横枠部材１０４の他端ｅ１０４ｂ、底板部材１０５の他端ｅ１０５ｂ及び背面部材１０６の他端ｅ１０６ｂの各々に設けられた一対の側面板１０７、１０８とを備える。
【０００９】
爪１０３・・・の各々は、底板部材１０５の長さ方向に対し縦方向に、適当間隔を隔てて突出するように設けられている。
【００１０】
また、背面部材１０６は、複数本の横桟１０６ａ・・・と、複数本の縦桟１０６ｂ・・・とを組み合わせることで、スケルトン構造になっている。
【００１１】
尚、図８及び図９の各々中、１１２で示す部材は、ステイを示しており、このスケルトンバケット１０１では、ステイ１１２は、バケット本体部２の上部横枠部材４の上面に取り付けられている。
【００１２】
また、ステイ１１２には、ステイ１１２をパワーショベルなどの土木機械の作動リンク（図示せず。）に連結するための、ピン孔ｈ１１２が設けられている。
【００１３】
また、図１０は、従来の掘削用フォークショベルの一例を概略的に示す斜視図であり、また、図１１は、図１０に示す従来の掘削用フォークショベルの概略的な側面図である。
【００１４】
この掘削用フォークショベル２０１は、横桁２０２と、適当間隔を隔てるように且つ横桁２０２の長さ方向に対し縦方向に突出するように設けられた複数本の歯体用縦杵２０３・・・と、複数本の歯体用縦杵２０３・・・の各々を補強するために、複数本の歯体用縦杵２０３・・・の各々を繋ぐように、複数本の歯体用縦杵２０３・・・の各々の長さ方向に対し横方向に設けられた補強骨２０４とを備える。
【００１５】
尚、図１０及び図１１の各々中、２１２で示す部材は、ステイを示しており、この掘削用フォークショベル２０１では、ステイ２１２は、横桁２０２に取り付けられている。
【００１６】
また、ステイ２１２には、ステイ２１２をパワーショベルなどの土木機械の作動リンク（図示せず。）に連結するための、ピン孔ｈ２１２が設けられている。
【特許文献１】特開２００５−２００９１１号公報
【特許文献２】実開昭５９−１９６６０号公報
【発明の開示】
【発明が解決しようとする課題】
【００１７】
しかしながら、従来のスケルトンバケット１０１を用いて、河床を掘り起こし、土砂の上に、岩石が位置するような作業を行った場合には、従来のスケルトンバケット１０１では、底板部材１０５の長さ方向に対し縦方向に突出するように設けられた爪１０３・・・の各々の長さが短いために、爪１０３・・・の各々を河床に深く突き立てて、爪１０３・・・の各々により河床の大きな岩石のみを掬い上げることができず、河床を掘り起こし、土砂の上に、大きな岩石を位置（配置）するような作業を行うのが難しい、という問題がある。
【００１８】
また、従来の掘削用フォークショベル２０１は、従来のスケルトンバケット１０１に比べ、複数本の歯体用縦杵２０３・・・の各々の長さは、従来のスケルトンバケット１０１の爪１０３・・・の各々の長さに比べ、長くされているものの、複数本の歯体用縦杵２０３・・・の各々を補強するために、複数本の歯体用縦杵２０３・・・の各々を繋ぐように、複数本の歯体用縦杵２０３・・・の各々の長さ方向に対し横方向に補強骨２０４が設けられているので、従来の掘削用フォークショベル２０１を用いて、河床を掘り起こし、土砂の上に、岩石が位置するような作業を行った場合、複数本の歯体用縦杵２０３・・・の各々を河床に突き立てることができる実質的な深さは、複数本の歯体用縦杵２０３・・・の各々の先端部分から補強骨２０４が設けられている位置までの長さであり、複数本の歯体用縦杵２０３・・・の各々を河床に深く突き立てて、爪１０３・・・の各々により河床の大きな岩石のみを掬い上げることができず、河床を掘り起こし、土砂の上に、大きな岩石を位置（配置）するような作業を行うのが難しい、という問題がある。
【００１９】
且つ、複数本の歯体用縦杵２０３・・・の各々を補強するために、複数本の歯体用縦杵２０３・・・の各々を繋ぐように、複数本の歯体用縦杵２０３・・・の各々の長さ方向に対し横方向に補強骨２０４を設けるという構成を採用した場合には、複数本の歯体用縦杵２０３・・・の各々と、補強骨２０４との接合部の各々に力がかかるため、複数本の歯体用縦杵２０３・・・の各々の先端部からの距離を十分にとった位置に補強骨２０４を設けた場合には、複数本の歯体用縦杵２０３・・・の各々を河床に深く突き立てることが可能になるものの、岩石等により、複数本の歯体用縦杵２０３・・・の各々に力が加わると、複数本の歯体用縦杵２０３・・・の各々と、補強骨２０４との接合部の各々に加わる大きな力（モーメント力）により、複数本の歯体用縦杵２０３・・・の各々方が、岩石等により、その位置関係が変形してしまう、という問題がある。
【００２０】
このため、複数本の歯体用縦杵２０３・・・の各々を補強するために、複数本の歯体用縦杵２０３・・・の各々を繋ぐように、複数本の歯体用縦杵２０３・・・の各々の長さ方向に対し横方向に補強骨２０４が設けるという構成には、複数本の歯体用縦杵２０３・・・の各々の先端部分から補強骨２０４が設けられている位置までの長さを長くすることには、限界がある、という問題がある。
【００２１】
本発明の第一の目的は、以上のような問題を解決するためになされたものであって、複数本のフォーク部材の各々の先端部分からその根元までの長さを十分に長くし、複数本のフォーク部材の各々を河床に深く突き立てることができ、且つ、複数本のフォーク部材の各々を河床に深く突き立てた場合であっても、複数本のフォーク部材の各々の位置関係が、岩石等により、変形し難い、フォーク部材付きバケットを提供することにある。
【００２２】
また、従来のスケルトンバケット１０１は、図８及び図９の各々からも明らかなように、
背面部材１０６が、複数本の横桟１０６ｂ・・・と、複数本の縦桟１０６ａ・・・とを組み合わせることで、スケルトン構造になっている。
【００２３】
且つ、背面部材１０６を側面視した場合、背面部材１０６の外表面Ｓ１０６ａが、上部横枠部材１０４と底板部材１０５との間の途中の位置において、バケット本体部１０２の開口部ｈ１０２と逆方向に湾曲している。
【００２４】
即ち、従来のスケルトンバケット１０１は、背面部材１０６の外表面Ｓ１０６ａが、凸状に湾曲している。
【００２５】
このため、従来のスケルトンバケット１０１は、背面部材１０６の外表面Ｓ１０６ａを用いて、河床を掘り起こし、土砂の上に、岩石が位置するような作業を行った後、そのような作業を行った場所の整地をするのが難しい、という問題があった。
【００２６】
また、従来の掘削用フォークショベル２０１は、図１０及び図１１の各々からも明らかなように、横桁２０２が平板形状になっており、横桁２０２を用いて、河床を掘り起こし、土砂の上に、岩石が位置するような作業を行った後、そのような作業を行った場所の整地をするような作業をすることを予定していない。
【００２７】
このため、例えば、パワーショベルなどの土木機械に、従来のスケルトンバケット１０１、又は、従来の掘削用フォークショベル２０１が取り付けられている場合にあっては、土砂の上に、岩石が位置するような作業を行った後、そのような作業を行った場所の整地をするような作業が必要な場合には、パワーショベルなどの土木機械から、従来の掘削用フォークショベル２０１を取り外した後、パワーショベルなどの土木機械に、整地用のバケットを取り付けて、そのような作業をするか、または、作業現場から、従来の掘削用フォークショベル２０１が取り付けられているパワーショベルなどの土木機械を退避させ、その後、ブルドーザーや、整地用のバケットが取り付けられているパワーショベルなどの土木機械を作業現場に送り込んで、整地作業をしなければならない、という面倒な作業が行われている。
【００２８】
本発明の第二の目的は、以上のような問題を解決するためになされたものであって、背面部材の外表面を用いて、河床を掘り起こし、土砂の上に、大きな岩石を位置（配置）するような作業を行った後、そのような作業を行ったことで、不規則になった河床を均一に戻すといった整地を効率良く行うことのできる、フォーク部材付きバケットを提供することにある。
【００２９】
また、本発明の第三の目的は、複数本のフォーク部材の各々を河床に、容易に、深く突き立てることができる、フォーク部材付きバケットを提供することにある。
【課題を解決するための手段】
【００３０】
請求項１に記載のフォーク部付きバケットは、上部横枠部材と、底板部材と、上部横枠部材と底板部材との間に設けられた背面部材と、上部横枠部材の一端部側、底板部材の一端部側及び背面部材の一端部側、並びに、上部横枠部材の他端部側、底板部材の他端部側及び背面部材の他端部側の各々に設けられた一対の側面板とを備えるバケット本体部と、バケット本体部の底板部材の長さ方向のバケット本体部の開口部を形成する側面から突出するように設けられた複数本のフォーク部材を備え、複数本のフォーク部材の中、一番外側に位置する一対のフォーク部材の各々が、一対の側面板の各々により支持され、且つ、複数本のフォーク部材の中、一番外側に位置する一対のフォーク部材の間に位置するフォーク部材が、上部横枠部材部の途中の位置から底板部材方向に、上部横枠部材部の途中の位置から背面部材の内表面に接続するように設けられ支持部材により支持されている。
【００３１】
請求項２に記載のフォーク部付きバケットは、請求項１に記載のフォーク部材付きバケットの、支持部材が、一対の側面板の各々と同一形状又は概ね同一形状を有している。
【００３２】
請求項３に記載のフォーク部材付きバケットは、請求項１又は請求項２に記載のフォーク部材付きバケットの、複数本のフォーク部材の中、一番外側に位置する一対のフォーク部材の各々が、複数本のフォーク部材の中、一番外側に位置する一対のフォーク部材の各々を、平面視した場合、複数本のフォーク部材の中、一番外側に位置する一対のフォーク部材の各々の中心線又は概ね中心線に沿って、一対の側面板の各々の下端部により支持され、且つ、複数本のフォーク部材の中、前記一番外側に位置する一対のフォーク部材の間に位置するフォーク部材が、複数本のフォーク部材の中、一番外側に位置する一対のフォーク部材の間に位置するフォーク部材平面視した場合、複数本のフォーク部材の中、一番外側に位置する一対のフォーク部材の間に位置するフォーク部材中心線又は概ね中心線に沿って、支持部材の下端部により支持されている。
【００３３】
請求項４に記載のフォーク部付きバケットは、請求項１〜３のいずれかに記載のフォーク部材付きバケットの、背面部材を側面視した場合、背面部材の外表面が、上部横枠部材と前記底板部材との間の途中の位置において、バケット本体部の開口部方向に湾曲している。
【００３４】
請求項５に記載のフォーク部付きバケットは、請求項１〜４のいずれかに記載のフォーク部材付きバケットの、複数本のフォーク部材の各々の先端部が、複数本のフォーク部材の各々の下面の所定の位置から前記複数本のフォーク部材の各々の上面の端部に向かって傾斜している。
【発明の効果】
【００３５】
請求項１に記載のフォーク部付きバケットは、複数本のフォーク部材の中、一番外側に位置する一対のフォーク部材の各々の根元部が、底板部材への接続と、一対の側面板の各々への接続との協働により支持されている。
【００３６】
従って、複数本のフォーク部材の中、一番外側に位置する一対のフォーク部材の各々の根元部を、底板部材へのみの接続により支持した場合に比べ、複数本のフォーク部材の中、一番外側に位置する一対のフォーク部材の各々の根元部の機械的強度を、底板部材への接続に加え、更に、一対の側面板の各々への接続した分、大きくすることができる。
【００３７】
この結果、このフォーク部付きバケットでは、複数本のフォーク部材の中、一番外側に位置する一対のフォーク部材の各々の先端部分から根元部までの長さを、複数本のフォーク部材の中、一番外側に位置する一対のフォーク部材の各々の根元部を、底板部材へのみに接続したものと比較した場合、複数本のフォーク部材の中、一番外側に位置する一対のフォーク部材の各々の先端部分から根元部までの長さに比べ長くした場合であっても、例えば、このフォーク部付きバケットを用い、複数本のフォーク部材の中、一番外側に位置する一対のフォーク部材の各々を河床に深く突き立てた際に、岩石等により、複数本のフォーク部材の中、一番外側に位置する一対のフォーク部材の各々に力が加わり、複数本のフォーク部材の中、一番外側に位置する一対のフォーク部材の各々の根元部に力（モーメント力）が働いても、複数本のフォーク部材の中、一番外側に位置する一対のフォーク部材の各々の位置関係が変形し難い。
【００３８】
また、このフォーク部付きバケットは、複数本のフォーク部材の中、一番外側に位置する一対のフォーク部材の間に位置するフォーク部材の根元部が、底板部材への接続と、上部横枠部材部の途中の位置から底板部材方向に、上部横枠部材部の途中の位置から背面部材の内表面に接続するように設けられ支持部材への接続との協働により支持されているので、複数本のフォーク部材の中、一番外側に位置する一対のフォーク部材の間に位置するフォーク部材を底板部材への接続により支持した場合に比べ、複数本のフォーク部材の中、一番外側に位置する一対のフォーク部材の間に位置するフォーク部材の根元部の機械的強度を、底板部材への接続に加え、更に、複数本のフォーク部材の中、一番外側に位置する一対のフォーク部材の間に位置するフォーク部材へ接続した分、大きくすることができる。
【００３９】
この結果、このフォーク部付きバケットでは、複数本のフォーク部材の中、一番外側に位置する一対のフォーク部材の間に位置するフォーク部材の先端部分から根元部までの長さを、複数本のフォーク部材の中、一番外側に位置する一対のフォーク部材の間に位置するフォーク部材の根元部を、底板部材へのみに接続したものに比較して、複数本のフォーク部材の中、一番外側に位置する一対のフォーク部材の間に位置するフォーク部材の先端部分から根元部までの長さに比べ長くした場合であっても、例えば、このフォーク部付きバケットを用い、複数本のフォーク部材の中、一番外側に位置する一対のフォーク部材の間に位置するフォーク部材を河床に深く突き立てた際に、岩石等により、複数本のフォーク部材中、一番外側に位置する一対のフォーク部材の間に位置するフォーク部材に力が加わり、複数本のフォーク部材の中、一番外側に位置する一対のフォーク部材の間に位置するフォーク部材の根元部に力（モーメント力）が働いても、複数本のフォーク部材の中、一番外側に位置する一対のフォーク部材の間に位置するフォーク部材の位置関係も変形し難い。
【００４０】
即ち、このフォーク部付きバケットでは、複数本のフォーク部材の各々の先端部から根元部までの長さを長くした場合であっても、例えば、このフォーク部付きバケットを用い、複数本のフォーク部材の各々を、河床に深く突き立てた際に、岩石等により、複数本のフォーク部材に大きな力が加わっても、複数本のフォーク部材の位置関係が変形し難い。
【００４１】
この結果、このフォーク部付きバケットでは、複数本のフォーク部材の各々の先端部から根元部までの長さを長くできるので、そのように複数本のフォーク部材の各々の先端部から根元部までの長さを長くすることで、例えば、複数本のフォーク部材の各々を河床に、深く突き立てることで、河床の深い位置にある岩石等をも掬い上げることにより、河床を掘り起こし、土砂の上に、岩石が位置するような作業を容易に行うことができる。
【００４２】
即ち、このフォーク部付きバケットを用いれば、例えば、河床を深く掘り起こし、河床の浅い位置にある岩石等はもちろんのこと、河床の深い位置にある岩石等をも、土砂の上に位置（配置）するようにすることができるので、河川に生息している淡水魚やカエルやザリガニや水生昆虫等の水棲動物の隠れ場所（石や岩の陰）を、そのような水棲動物に提供することができる。
【００４３】
この結果、河川に生息している淡水魚やカエルやザリガニや水生昆虫等の水棲動物は、石や岩の陰に隠れることができるので、コサギ、ダイサギ、川鵜その他の鳥類等により捕食される水棲動物の数が少なくなる結果、河川に生息する魚の数が増加する。
【００４４】
また、このフォーク部付きバケットでは、複数のフォーク部材及びバケット本体部を含む全体の形状が、バケット形状を有しているので、複数のフォーク部材及びバケット本体部内に、岩石等を掬い上げ、土砂の上に、岩石等を位置（配置）させるような作業や、そのような作業を行ったことで、不規則になった河床を均一に戻すといった整地を効率良く行うことができる。
【００４５】
請求項２記載のフォーク部付きバケットでは、支持部材の形状を、一対の側面板の各々と同一形状又は概ね同一形状にしているので、複数本のフォーク部材の各々を同じ材料、同じ大きさ、同じ機械的強度を有する材料で構成した場合、複数本のフォーク部材の各々がバケット本体部に対し、同じ又は概ね同じ機械的強度を有するので、例えば、このフォーク部付きバケットを用い、複数本のフォーク部材を河床に深く突き立てた際に、岩石等により、複数本のフォーク部材の各々に力が加わっても、複数本のフォーク部材のあるフォーク部材が、他のフォーク部材に比べ変形し易い、といったような現象が生じ難い。
【００４６】
請求項３に記載のフォーク部材付きバケットでは、複数本のフォーク部材の各々を、複数本のフォーク部材の各々を平面視した場合に、複数本のフォーク部材の各々を、一対の側面板及び支持部材の各々により、その中心線又は概ね中心線に沿って、支持するようにしているので、例えば、このフォーク部付きバケットを用い、複数本のフォーク部材を河床に深く突き立てた際に、岩石等により、複数本のフォーク部材の各々に力が加わっても、複数本のフォーク部材のあるフォーク部材が、いびつに曲がる、といったような現象が生じ難い。
【００４７】
請求項４に記載のフォーク部付きバケットは、背面部材を側面視した場合、背面部材の外表面が、上部横枠部材と底板部材との間の途中の位置において、バケット本体部の開口部方向に湾曲しているので、背面部材の外表面を利用して、例えば、地面や、フォーク部付きバケットを用いて掘り起こした場所の表面の平ら又は概ね平らにする、といったような作業を行える。
【００４８】
また、このフォーク部付きバケットでは、背面部材の外表面と反対側の表面（裏面）が、一対の側面板及び支持部材により支持されているため、背面部材の機械的強度が優れている。
【００４９】
このため、背面部材の外表面を利用して、例えば、地面や、フォーク部付きバケットを用いて掘り起こした場所の表面の平ら又は概ね平らにする、といったような整地作業を行う際に、背面部材の形状が変形する、といったような事態が生じ難い。
請求項５に記載のフォーク部付きバケットは、複数本のフォーク部材の各々の先端部を、複数本のフォーク部材の各々の下面の所定の位置から複数本のフォーク部材の各々の上面の端部に向かって傾斜するようにしているので、例えば、このフォーク部付きバケットを用い、複数本のフォーク部材を河床に深く突き立てた際に、岩石等が、複数本のフォーク部材の上面に位置するようになるため、複数のフォーク部材及びバケット本体部内に、岩石等を掬い上げ、土砂の上に、岩石等を位置（配置）させるような作業や、そのような作業を行ったことで、不規則になった河床を均一に戻すといった整地を効率良く行うことができる。
【発明を実施するための最良の形態】
【００５０】
以下、本発明に係るフォーク部材付きバケットの一例を、図面を参照しながら、詳しく説明する。
【００５１】
図１は、本発明に係るフォーク部材付きバケットの一例を概略的に示す斜視図である。
【００５２】
また、図２は、図１に示すフォーク部材付きバケットを、その上方から下方に見た概略的な平面図であり、図３は、図１に示すフォーク部材付きバケットの概略的な正面図であり、図４は、図１に示すフォーク部材付きバケットの概略的な底面図であり、図５は、図１に示すフォーク部材付きバケットの概略的な背面図であり、図６は、図１に示すフォーク部材付きバケットの概略的な右側面図であり、また、図７は、図１に示すフォーク部材付きバケットの概略的な左側面図である。
【００５３】
このフォーク部材付きバケット１は、バケット本体部２と、複数本のフォーク部材３ａ、３ｂ、３・・・とを備える。
【００５４】
バケット本体部２は、上部横枠部材４と、底板部材（図４に示す底板部材５）と、上部横枠部材４と底板部材（図４に示す底板部材５）との間に設けられた背面部材６と、一対の側面板７、８とを備える。
【００５５】
一対の側面板７、８の一方の側面板７は、上部横枠部材４の一端部側ｅ４ａ、底板部材５の一端部側ｅ５ａ及び背面部材６の一端部側ｅ６ａに接続するように設けられている。
【００５６】
また、一対の側面板７、８の他方の側面板８は、上部横枠部材４の他端部側ｅ４ｂ、底板部材５の他端部側ｅ５ｂ及び背面部材６の他端部側ｅ６ｂに接続するように設けられている。
【００５７】
複数本のフォーク部材３ａ、３ｂ、３・・・の各々は、バケット本体部２の底板部材５から、バケット本体部２の開口部ｈ２方向に突出するように設けられている。
【００５８】
複数本のフォーク部材３ａ、３ｂ、３・・・の各々は、同じ材質で製されており、同一の大きさで且つ同一の形状、又は、概ね同一の大きさで且つ概ね同一の形状を有している。
【００５９】
そして、複数本のフォーク部材３ａ、３ｂ、３・・・の中、一番外側に位置する一対のフォーク部材３ａ、３ｂの各々は、一対の側面板７、８の各々により支持されている。
【００６０】
且つ、このフォーク部材付きバケット１では、複数本のフォーク部材３ａ、３ｂ、３・・・の中、一番外側に位置する一対のフォーク部材３ｂ、３ｂの間に位置するフォーク部材３・・・の各々が、上部横枠部材部４の途中の位置から底板部材５方向に、上部横枠部材部４の途中の位置から背面部材６の内表面（裏面）Ｓ６ａに接続するように設けられた支持部材９・・・により支持されている。
【００６１】
このフォーク部材付きバケット１では、支持部材９・・・の各々は、一対の側面板７、８の各々と同一の形状又は概ね同一形状を有している。
【００６２】
より特定的に説明すると、一対の側面板７、８の各々、支持部材９・・・の各々は、同一の大きさで且つ同一の形状、又は、概ね同一の大きさで且つ概ね同一の形状を有している。
【００６３】
また、このフォーク部材付きバケット１では、図３から明らかなように、バケット本体部２の底板部材５は、複数の凹部１０・・・を形成することで、複数本のフォーク部材３ａ、３ｂ、３・・・の各々を支持する櫛歯１１・・・を有する。
【００６４】
櫛歯１１・・・は、複数本のフォーク部材３ａ、３ｂ、３・・・の本数に相当する本数にされている。
【００６５】
櫛歯１１・・・の各々は、同じ大きさで且つ同じ形状、又は、概ね同一の大きさで且つ概ね同一の形状を有している。
【００６６】
このフォーク部材付きバケット１では、図１、図３、図４、図５及び図６の各々から明らかなように、複数本のフォーク部材３ａ、３ｂ、３・・・の各々を、櫛歯１１・・・の各々の上に載置した状態にして、複数本のフォーク部材３ａ、３ｂ、３・・・の各々と、櫛歯１１・・・の各々とを、例えば、櫛歯１１・・・の各々の外周と、複数本のフォーク部材３ａ、３ｂ、３・・・の各々の外周とを溶接により、接続・固定している。
【００６７】
また、このフォーク部材付きバケット１では、図１、図３、図４、図５及び図６から明らかなように、複数本のフォーク部材３ａ、３ｂ、３・・・の各々の一端部ｅ３ａａ、ｅ３ｂａ、ｅ３ａ・・・が、背面部材６の裏表面Ｓ６ｂ又は背面部材６の内表面（裏面）Ｓ６ｂの近傍位置に位置するようにして、複数本のフォーク部材３ａ、３ｂ、３・・・の各々と、櫛歯１１・・・の各々とを、例えば、溶接により、接続・固定している。
【００６８】
更にまた、このフォーク部材付きバケット１では、複数本のフォーク部材３ａ、３ｂ、３・・・の中、一番外側に位置する一対のフォーク部材３ａ、３ｂの各々が、複数本のフォーク部材３ａ、３ｂ、３・・・の中、一番外側に位置する一対のフォーク部材３ａ、３ｂの各々を、平面視した場合（図１及び図２を参照。）、複数本のフォーク部材３ａ、３ｂ、３・・・の中、一番外側に位置する一対のフォーク部材３ａ、３ｂの各々の中心線Ｌｃ３ａ、Ｌｃ３ｂ又は概ね中心線Ｌｃ３ａ、Ｌｃ３ｂに沿って、一対の側面板７、８の各々の下端部ｅ７ａ、ｅ８ａの各々により支持され、且つ、複数本のフォーク部材３ａ、３ｂ、３・・・の中、一番外側に位置する一対のフォーク部材３ａ、３ｂの間に位置するフォーク部材３・・・が、複数本のフォーク部材３ａ、３ｂ、３・・・の中、一番外側に位置する一対のフォーク部材３ａ、３ｂの間に位置するフォーク部材３・・・を平面視した場合、複数本のフォーク部材３ａ、３ｂ、３・・・の中、一番外側に位置する一対のフォーク部材３ａ、３ｂの間に位置するフォーク部材３・・・の中心線Ｌｃ３・・・又は概ね中心線Ｌｃ３・・・に沿って、支持部材９・・・の各々の下端部ｅ９ａ・・・により支持されている。
【００６９】
より詳しく説明すると、このフォーク部材付きバケット１では、複数本のフォーク部材３ａ、３ｂ、３・・・の各々の上面に、複数本のフォーク部材３ａ、３ｂ、３・・・の各々の一端部ｅ３ａａ、ｅ３ｂａ、ｅ３ａ・・・側から、所定の長さを有するスリット部（切り込み）ｈ３ａ、ｈ３ｂ、ｈ３・・・を形成している。
【００７０】
複数本のフォーク部材３ａ、３ｂ、３・・・の各々の上面に設ける、スリット部（切り込み）ｈ３ａ、ｈ３ｂ、ｈ３・・・の各々の長さは、一対の側面板７、８、支持部材９・・・の各々の下端部ｅ７ａ、ｅ８ａ、ｅ９ａ・・・の各々の長さに等しいか、これよりやや大きい長さにされている。
【００７１】
また、複数本のフォーク部材３ａ、３ｂ、３・・・の各々の上面に設ける、スリット部（切り込み）ｈ３ａ、ｈ３ｂ、ｈ３・・・の各々の幅は、一対の側面板７、８、支持部材９・・・の各々の下端部ｅ７ａ、ｅ８ａ、ｅ９ａ・・・の各々の幅に等しいか、これよりやや大きい長さにされている。
【００７２】
そして、このフォーク部材付きバケット１では、複数本のフォーク部材３ａ、３ｂ、３・・・の各々の上面に設けられている、スリット部（切り込み）ｈ３ａ、ｈ３ｂ、ｈ３・・・の各々内に、側面板７の下端部ｅ７ａ、側面板８の下端部ｅ８ａ、支持部材９・・・の各々の下端部ｅ９ａ・・・の各々を嵌め合わせた状態にし、フォーク部材３ａと側面板７の下端部ｅ７ａとを、例えば、フォーク部材３ａと側面板７の下端部ｅ７ａの両側面と、スリット部（切り込み）ｈ３ａの両側部とを溶接により接続・固定し、フォーク部材３ｂと側面板８の下端部ｅ８ａとを、例えば、フォーク部材３ｂと側面板７の下端部ｅ７ａの両側面と、スリット部（切り込み）ｈ３ｂの両側部とを溶接により接続・固定し、且つ、フォーク部材３・・・の各々と支持部材９・・・の下端部ｅ９ａ・・・とを、例えば、フォーク部材３・・・と支持部材９・・・の下端部ｅ９ａの両側面と、スリット部（切り込み）ｈ３・・・の各々の両側部とを溶接により接続・固定している。
【００７３】
また、このフォーク部材付きバケット１では、図１、図６及び図７から明らかなように、背面部材６を側面視した場合、背面部材６の外表面Ｓ６ａが、上部横枠部材４と底板部材（図５、図６及び図７に示す底板部材５）との間の途中の位置において、バケット本体部２の開口部ｈ２方向に、湾曲している。
【００７４】
即ち、このフォーク部材付きバケット１は、背面部材６の外表面Ｓ６ａが、凹状に湾曲している。
【００７５】
また、このフォーク部材付きバケット１では、複数本のフォーク部材３ａ、３ｂ、３・・・の各々の先端部ｅ３ａｂ、ｅ３ｂｂ、ｅ３ｂ・・・の各々が、複数本のフォーク部材３ａ、３ｂ、３・・・の各々の下面Ｓ３ａｂ、Ｓ３ｂｂ、Ｓ３ｂ・・・の所定の位置から複数本のフォーク部材３ａ、３ｂ、３・・・の各々の上面Ｓ３ａａ、Ｓ３ｂａ、Ｓ３ａ・・・の端部ｅ３ａｂ、ｅ３ｂｂ、ｅ３ｂ・・・の各々に向かって傾斜している。
【００７６】
尚、図１中、１２で示す部材は、ステイを示しており、このフォーク部材付きバケット１では、ステイ１２は、バケット本体部２の上部横枠部材４の上面に取り付けられた、ステイ取り付け台１３上に、バケット本体部２の開口部ｈ２側からバケット本体部２の背面部材６方向に、上方から下方へ、傾斜するように、取り付けられている。
【００７７】
また、ステイ１２には、ステイ１２をパワーショベルなどの土木機械の作動リンク（図示せず。）に連結するための、ピン孔ｈ１２が設けられている。
【００７８】
このフォーク部材付きバケット１を用いて、例えば、岩石の上に土砂が堆積している河床を掘り起こし、土砂の上に、岩石が位置するような作業を行う際には、まず、フォーク部材付きバケット１のステイ１２のピン孔ｈ１２にパワーショベルなどの土木機械の作動リンク（図示せず。）に連結し、パワーショベルなどの土木機械に、フォーク部材付きバケット１を取り付ける。
【００７９】
次に、パワーショベルなどの土木機械を操作することで、フォーク部材付きバケット１の複数本のフォーク部材３ａ、３ｂ、３・・・を河床面に対し、縦方向になるようにし、複数本のフォーク部材３ａ、３ｂ、３・・・を河床に突き立てる。
【００８０】
その後、パワーショベルなどの土木機械を操作することで、フォーク部材付きバケット１の複数本のフォーク部材３ａ、３ｂ、３・・・が、水平又は概ね水平になるようにし、または、そのようにしながら、フォーク部材付きバケット１を河床の上方位置に持ち上げる。
【００８１】
その後、必要により、パワーショベルなどの土木機械を操作することで、フォーク部材付きバケット１を、若干、揺動する。
【００８２】
すると、フォーク部材付きバケット１の複数本のフォーク部材３ａ、３ｂ、３・・・の上に掬い上げられた土砂、岩石、及び、これらとともにフォーク部材付きバケット１の複数本のフォーク部材３ａ、３ｂ、３・・・の上に掬い上げられた水の中、水、及び、フォーク部材付きバケット１の複数本のフォーク部材３ａ、３ｂ、３・・・の各々の間の隙間よりも小さい土砂、岩石は、フォーク部材付きバケット１の複数本のフォーク部材３ａ、３ｂ、３・・・の各々の間の隙間から、河床にこぼれ落ち、フォーク部材付きバケット１の複数本のフォーク部材３ａ、３ｂ、３・・・の上には、複数本のフォーク部材３ａ、３ｂ、３・・・の各々の間の隙間よりも大きい岩石が残る。
【００８３】
次に、パワーショベルなどの土木機械を操作することで、フォーク部材付きバケット１の複数本のフォーク部材３ａ、３ｂ、３・・・を河床面に対し、縦方向になるようにし、フォーク部材付きバケット１の複数本のフォーク部材３ａ、３ｂ、３・・・により掘り起こした箇所の上に、フォーク部材付きバケット１の複数本のフォーク部材３ａ、３ｂ、３・・・の上にある大きい岩石を、落下させる。
【００８４】
以上の作業により、岩石の上に土砂が堆積している河床を掘り起こし、土砂の上に、岩石を位置（配置）するようにできる。
【００８５】
次に、土砂の上に、岩石が位置するようにした河床の表面を平ら又は概ね平らにする必要がある場合には、パワーショベルなどの土木機械を操作することで、フォーク部材付きバケット１の複数本のフォーク部材３ａ、３ｂ、３・・・を縦方向又は斜め方向にして、複数本のフォーク部材３ａ、３ｂ、３・・・を、パワーショベルなどの土木機械の進行方向又は後退方向に移動することで、フォーク部付きバケットを用いて掘り起こした場所（岩石が位置するようにした河床の表面）を平ら又は概ね平らにする整地作業したり、又は、フォーク部材付きバケット１の背面部材６の上部横枠部材４と底板部材５との間の途中の位置においてバケット本体部２の開口部ｈ２方向に湾曲している外表面Ｓ６ａを利用して、フォーク部付きバケットを用いて掘り起こした場所（岩石が位置するようにした河床の表面）を平ら又は概ね平らにする整地作業したりする。
【００８６】
このフォーク部付きバケット１は、複数本のフォーク部材３ａ、３ｂ、３・・・の中、一番外側に位置する一対のフォーク部材３ａ、３ｂの各々の根元部が、底板部材５への接続と、一対の側面板７、８の各々への接続との協働により支持されている。
【００８７】
従って、複数本のフォーク部材３ａ、３ｂ、３・・・の中、一番外側に位置する一対のフォーク部材３ａ、３ｂの各々の根元部を、底板部材５への接続だけにより支持した場合に比べ、複数本のフォーク部材３ａ、３ｂ、３・・・の中、一番外側に位置する一対のフォーク部材３ａ、３ｂの各々の根元部の機械的強度を、底板部材５への接続に加え、更に、一対の側面板７、８の各々への接続した分、大きくすることができる。
【００８８】
この結果、このフォーク部付きバケット１では、複数本のフォーク部材３ａ、３ｂ、３・・・の中、一番外側に位置する一対のフォーク部材３ａ、３ｂの各々の先端部分から根元部までの長さを、複数本のフォーク部材３ａ、３ｂ、３・・・の中、一番外側に位置する一対のフォーク部材３ａ、３ｂの各々の根元部を、底板部材５へのみに接続したものと比較した場合、複数本のフォーク部材３ａ、３ｂ、３・・・の中、一番外側に位置する一対のフォーク部材３ａ、３ｂ各々の先端部分から根元部までの長さに比べ長くした場合であっても、例えば、このフォーク部付きバケット１を用い、複数本のフォーク部材３ａ、３ｂ、３・・・の中、一番外側に位置する一対のフォーク部材３ａ、３ｂの各々を河床に深く突き立てた際に、岩石等により、複数本のフォーク部材３ａ、３ｂ、３・・・の中、一番外側に位置する一対のフォーク部材３ａ、３ｂの各々に力が加わり、複数本のフォーク部材３ａ、３ｂ、３・・・の中、一番外側に位置する一対のフォーク部材３ａ、３ｂの各々の根元部に力（モーメント力）が働いても、複数本のフォーク部材３ａ、３ｂ、３・・・の中、一番外側に位置する一対のフォーク部材３ａ、３ｂの各々の位置関係が変形し難い。
【００８９】
また、このフォーク部付きバケット１は、複数本のフォーク部材３ａ、３ｂ、３・・・の中、一番外側に位置する一対のフォーク部材３ａ、３ｂの間に位置するフォーク部材３・・・の各々の根元部が、底板部材５への接続と、上部横枠部材部４の途中の位置から底板部材５方向に、上部横枠部材部４の途中の位置から背面部材６の内表面（裏面）Ｓ６ｂに接続するように設けられ支持部材９・・・の各々への接続との協働により支持されているので、複数本のフォーク部材３ａ、３ｂ、３・・・の中、一番外側に位置する一対のフォーク部材３ａ、３ｂの間に位置するフォーク部材３・・・の各々を底板部材５へのみの接続により支持した場合に比べ、複数本のフォーク部材３ａ、３ｂ、３・・・の中、一番外側に位置する一対のフォーク部材３ａ、３ｂの間に位置するフォーク部材３・・・の根元部の機械的強度を、底板部材５への接続に加え、更に、複数本のフォーク部材３ａ、３ｂ、３・・・の中、一番外側に位置する一対のフォーク部材３ａ、３ｂの間に位置するフォーク部材３・・・の各々へ接続した分、大きくすることができる。
【００９０】
この結果、このフォーク部付きバケット１では、複数本のフォーク部材３ａ、３ｂ、３・・・の中、一番外側に位置する一対のフォーク部材３ａ、３ｂ間に位置するフォーク部材３・・・の先端部分から根元部までの長さを、複数本のフォーク部材３ａ、３ｂ、３・・・の中、一番外側に位置する一対のフォーク部材３ａ、３ｂの間に位置するフォーク部材３・・・も各々の根元部を、底板部材５へのみに接続したものと比較して、複数本のフォーク部材３ａ、３ｂ、３・・・の中、一番外側に位置する一対のフォーク部材３ａ、３ｂの間に位置するフォーク部材３・・・の各々の先端部分から根元部までの長さに比べ長くした場合であっても、例えば、このフォーク部付きバケット１を用い、複数本のフォーク部材３ａ、３ｂ、３・・・の中、一番外側に位置する一対のフォーク部材３ａ、３ｂの間に位置するフォーク部材３・・・を河床に深く突き立てた際に、岩石等により、複数本のフォーク部材３ａ、３ｂ、３・・・中、一番外側に位置する一対のフォーク部材３ａ、３ｂの間に位置するフォーク部材３・・・の各々に力が加わり、複数本のフォーク部材３ａ、３ｂ、３・・・の中、一番外側に位置する一対のフォーク部材３ａ、３ｂの間に位置するフォーク部材３・・・の各々の根元部に力（モーメント力）が働いても、複数本のフォーク部材３ａ、３ｂ、３・・・の中、一番外側に位置する一対のフォーク部材３ａ、３ｂの間に位置するフォーク部材３・・・の位置関係も変形し難い。
【００９１】
即ち、このフォーク部付きバケット１では、複数本のフォーク部材３ａ、３ｂ、３・・・の各々の先端部から根元部までの長さを長くした場合であっても、例えば、このフォーク部付きバケット１を用い、複数本のフォーク部材３ａ、３ｂ、３・・・の各々を、河床に深く突き立てた際に、岩石等により、複数本のフォーク部材３ａ、３ｂ、３・・・に大きな力が加わっても、複数本のフォーク部材３ａ、３ｂ、３・・・の位置関係が変形し難い。
【００９２】
この結果、このフォーク部付きバケット１では、複数本のフォーク部材３ａ、３ｂ、３・・・の各々の先端部から根元部までの長さを長くできるので、そのように複数本のフォーク部材３ａ、３ｂ、３・・・の各々の先端部ｅ３ａｂ、ｅ３ｂｂ、ｅ３ｂ・・・の各々から根元部ｅ３ａａ、ｅ３ｂａ、ｅ３ａ・・・の各々までの長さを長くすることで、例えば、複数本のフォーク部材３ａ、３ｂ、３・・・の各々を河床に、深く突き立てることで、河床の深い位置にある岩石等をも掬い上げることにより、河床を掘り起こし、土砂の上に、岩石が位置するような作業を容易に行うことができる。
【００９３】
即ち、このフォーク部付きバケット１を用いれば、例えば、河床を深く掘り起こし、河床の浅い位置にある岩石等はもちろんのこと、河床の深い位置にある岩石等をも、土砂の上に位置（配置）するようにすることができるので、河川に生息している淡水魚やカエルやザリガニや水生昆虫等の水棲動物の隠れ場所（石や岩の陰）を、そのような水棲動物に提供することができる。
【００９４】
この結果、河川に生息している淡水魚やカエルやザリガニや水生昆虫等の水棲動物は、石や岩の陰に隠れることができるので、コサギ、ダイサギ、川鵜その他の鳥類等により捕食される、そのような水棲動物の数が少なくなる結果、河川に生息する魚の数が増加する。
【００９５】
また、このフォーク部付きバケット１では、複数のフォーク部材３ａ、３ｂ、３・・・及びバケット本体部２を含む全体の形状が、バケット形状を有しているので、複数のフォーク部材３ａ、３ｂ、３・・・及びバケット本体部２内に、岩石等を掬い上げることができる。
【００９６】
また、このフォーク部付きバケット１では、支持部材９・・・の各々の形状を、一対の側面板７、８の各々と同一の大きさ且つ同一の形状又は概ね同一の大きさ且つ概ね同一の形状にしているので、複数本のフォーク部材３ａ、３ｂ、３・・・の各々を同じ材料、同じ大きさ、同じ機械的強度を有する材料で構成した場合、複数本のフォーク部材３ａ、３ｂ、３・・・の各々がバケット本体部２に対し、同じ又は概ね同じ機械的強度を有するので、例えば、このフォーク部付きバケット１を用い、複数本のフォーク部材３ａ、３ｂ、３・・・を河床に深く突き立てた際に、岩石等により、複数本のフォーク部材の各々に力が加わっても、複数本のフォーク部材３ａ、３ｂ、３・・・のあるフォーク部材が、他のフォーク部材に比べ変形し易い、といったような現象が生じ難い。
【００９７】
また、このフォーク部材付きバケット１では、複数本のフォーク部材３ａ、３ｂ、３・・・の各々を、複数本のフォーク部材３ａ、３ｂ、３・・・の各々を平面視した場合（図２を参照。）に、複数本のフォーク部材３ａ、３ｂ、３・・・の各々を、一対の側面板７、８及び支持部材９・・・の各々により、その中心線Ｌｃ３ａ、Ｌｃ３ｂ、Ｌｃ３・・・又は概ねその中心線Ｌｃ３ａ、Ｌｃ３ｂ、Ｌｃ３・・・に沿って、支持するようにしているので、例えば、このフォーク部付きバケット１を用い、複数本のフォーク部材３ａ、３ｂ、３・・・を河床に深く突き立てた際に、岩石等により、複数本のフォーク部材３ａ、３ｂ、３・・・の各々に力が加わっても、複数本のフォーク部材３ａ、３ｂ、３・・・のあるフォーク部材が、いびつに曲がる、といったような現象が生じ難い。
【００９８】
また、このフォーク部付きバケット１は、背面部材６を側面視した場合、背面部材６の外表面Ｓ６ａが、上部横枠部材４と底板部材５との間の途中の位置において、バケット本体部２の開口部ｈ２方向に湾曲しているので、背面部材６の外表面Ｓ６ａを利用して、例えば、地面や、フォーク部付きバケット１を用いて掘り起こした場所の表面を平ら又は概ね平らにする、といったような整地作業を、容易に、行える。
【００９９】
即ち、このフォーク付きバケット１を用いれば、パワーショベルなどの土木機械にフォーク付きバケット１を取り付けた後、フォーク付きバケット１を取り付けたパワーショベルなどの土木機械を用いて、例えば、河床を掘り起こし、土砂の上に、岩石が位置するような作業と、そのような河床の掘り起こし作業をした場所の整地作業ができるので、例えば、パワーショベルなどの土木機械に、従来のスケルトンバケット１０１又は従来の掘削用フォークショベル２０１を取り付けて、河床を掘り起こし、土砂の上に、岩石が位置するような作業をした後に、パワーショベルなどの土木機械から、従来のスケルトンバケット１０１又は従来の掘削用フォークショベル２０１を取り外し、その後、パワーショベルなどの土木機械に、整地用のバケットを取り付けて、そのような作業をしたり、または、作業現場から、従来のスケルトンバケット１０１又は従来の掘削用フォークショベル２０１が取り付けられているパワーショベルなどの土木機械を退避させ、その後、ブルドーザーや、整地用のバケットが取り付けられているパワーショベルなどの土木機械を作業現場に送り込んで、整地作業をしたりするという、面倒な作業を行う必要がない。
【０１００】
また、このフォーク部付きバケット１では、背面部材６の外表面Ｓ６ａと反対側の内表面（裏面）Ｓ６ｂが、一対の側面板７、８及び支持部材９・・・により支持されているため、背面部材６の機械的強度が優れている。
【０１０１】
このため、背面部材６の外表面Ｓ６ａを利用して、例えば、地面や、フォーク部付きバケット１を用いて掘り起こした場所の表面の平ら又は概ね平らにする、といったような整地作業を行う際に、背面部材６の形状が変形する、といったような事態が生じ難い。
【０１０２】
また、このフォーク部付きバケット１は、複数本のフォーク部材３ａ、３ｂ、３・・・の各々の先端部を、複数本のフォーク部材３ａ、３ｂ、３・・・の各々の下面Ｓ３ａｂ、Ｓ３ｂｂ、Ｓ３ｂ・・・の所定の位置から複数本のフォーク部材３ａ、３ｂ、３・・・の各々の上面Ｓ３ａａ、Ｓ３ｂａ、Ｓ３ａ・・・の各々の端部ｅ３ａｂ、ｅ３ｂｂ、ｅ３ｂ・・・の各々に向かって傾斜するようにしているので、例えば、このフォーク部付きバケット１を用い、複数本のフォーク部材３ａ、３ｂ、３・・・を河床に深く突き立てた際に、岩石等が、複数本のフォーク部材３ａ、３ｂ、３・・・の上面に位置するようになるため、複数のフォーク部材３ａ、３ｂ、３・・・及びバケット本体部２内に、岩石等を掬い上げることができる。
【０１０３】
尚、上記の発明を実施するための最良の形態中において説明したフォーク部付きバケット１は、本発明に係るフォーク部付きバケットを説明するために用いたものであって、本発明に係るフォーク部付きバケットは、４本のフォーク部材３ａ、３ｂ、３、３を有するフォーク部付きバケットに限定されることはない。
【産業上の利用可能性】
【０１０４】
本発明に係るフォーク部付きバケットは、土砂等を深く掘り起こすことができるので、産業上の利用可能性が高い。
【図面の簡単な説明】
【０１０５】
【図１】本発明に係るフォーク部材付きバケットの一例を概略的に示す斜視図である。
【図２】図１に示すフォーク部材付きバケットを、その上方から下方に見た概略的な平面図である。
【図３】図１に示すフォーク部材付きバケットの概略的な正面図である。
【図４】図１に示すフォーク部材付きバケットの概略的な底面図である。
【図５】図１に示すフォーク部材付きバケットの概略的な背面図である。
【図６】図１に示すフォーク部材付きバケットの概略的な右側面図である。
【図７】図１に示すフォーク部材付きバケットの概略的な左側面図である。
【図８】従来のスケルトンバケットの一例を概略的に示す斜視図である。
【図９】図８に示す従来のスケルトンバケットの、図８中、ＩＸ−ＩＸ線に従う概略的な断面図である。
【図１０】従来の掘削用フォークショベルの一例を概略的に示す斜視図である。
【図１１】図１０に示す従来の掘削用フォークショベルの概略的な側面図である。
【符号の説明】
【０１０６】
１  フォーク部材付きバケット
２  バケット本体部
３ａ、３ｂ、３  フォーク部材
４  上部横枠部材
ｅ４ａ  上部横枠部材の一端部側
ｅ４ｂ  上部横枠部材の他端部側
５  底板部材
ｅ５ａ  底板部材の一端部側
ｅ５ｂ  底板部材の他端部側
６  背面部材
ｅ６ａ  背面部材の一端部側
ｅ６ｂ  背面部材の他端部側
７、８側面板
９  支持部材
ｅ９ａ  支持部材の下端部
１０  底板部材に形成された凹部
１１  櫛歯
１２  スティ
ｈ２  バケット本体部の開口部
ｈ３ａ  フォーク部材３ａの上面に設けられている、スリット部（切り込み）
ｈ３ｂ  フォーク部材３ｂの上面に設けられている、スリット部（切り込み）
ｈ３  フォーク部材３の上面に設けられている、スリット部（切り込み）
ｈ１２  スティに設けられているピン孔
Ｌｃ３ａ  フォーク部材３ａの中心線
Ｌｃ３ｂ  フォーク部材３ｂの中心線
Ｌｃ３  フォーク部材３の中心線
Ｓ３ａ  フォーク部材３の上面
Ｓ３ａａ  フォーク部材３ａの上面
Ｓ３ｂａ  フォーク部材３ｂの上面
Ｓ３ｂ  フォーク部材３の下面
Ｓ３ａｂ  フォーク部材３ａの下面
Ｓ３ｂｂ  フォーク部材３ｂの下面
Ｓ６ａ  背面部材の外表面
Ｓ６ｂ  背面部材の内表面（裏面）
【図１】
2009114732.tif 000003
【図２】
2009114732.tif 000004
【図３】
2009114732.tif 000005
【図４】
2009114732.tif 000006
【図５】
2009114732.tif 000007
【図６】
2009114732.tif 000008
【図７】
2009114732.tif 000009
【図８】
2009114732.tif 000010
【図９】
2009114732.tif 000011
【図１０】
2009114732.tif 000012
【図１１】
2009114732.tif 000013